(57)【特許請求の範囲】
【請求項１】
一対の手摺り棒が平行に配置された歩行訓練用平行棒において、
前記手摺り棒を支持する複数の支柱と、
複数の前記支柱にそれぞれ設けられた接続部材と、
前記接続部材と前記手摺り棒とをそれぞれ接続する継ぎ手と、を備え、
前記継ぎ手は前記接続部材に回転可能に接続され、
前記手摺り棒から離間し、且つ、前記手摺り棒に平行でありそれぞれの前記接続部材と前記継ぎ手との接続箇所を結ぶ線を回転軸として前記手摺り棒が回転し前記一対の手摺り棒の間隔が変えられ、
前記手摺り棒の回転を所定位置で止めるストッパー機構を備え、前記ストッパー機構により回転前後で前記手摺り棒が同じ高さに止まる、
ことを特徴とする歩行訓練用平行棒。
【請求項２】
前記接続部材はストッパー面を有し、前記継ぎ手を前記ストッパー面に当接させて前記手摺り棒の回転を止める前記ストッパー機構を備えることを特徴とする請求項１に記載の歩行訓練用平行棒。
【請求項３】
前記接続部材は突出したストッパーピンを備え、前記ストッパーピンに前記継ぎ手を当接させて前記手摺り棒の回転を止める前記ストッパー機構を備えることを特徴とする請求項１に記載の歩行訓練用平行棒。
【請求項４】
前記接続部材は前記継ぎ手と前記接続部材との接続箇所を中心とする円周上に複数のストッパーピン挿入孔を備え、前記継ぎ手は貫通孔を備え、ストッパーピンが前記貫通孔を通じて前記ストッパーピン挿入孔に挿入されることで前記手摺り棒の回転を止める前記ストッパー機構を備えることを特徴とする請求項１に記載の歩行訓練用平行棒。
【発明の詳細な説明】
【技術分野】
【０００１】
本発明は、歩行訓練用平行棒に関する。
【背景技術】
【０００２】
歩行訓練機は、高齢者や足腰の不自由な人、或いは、手術後の患者等、歩行障害者のリハビリテーションにおいて多く採用され、なかでも歩行訓練用平行棒は歩行訓練の補助をなす器具として、多くのリハビリテーション施設で活用されている。
【０００３】
一般的な歩行訓練用平行棒は、特許文献１に代表されるように、平行に配置された２本の手摺り棒が、それぞれの手摺り棒の両端部に固定された支柱によって支持された構造である。２本の手摺り棒の間隔は、訓練者が掴まって歩行し易いよう、人間の肩幅程度（５５ｃｍ程度）に設定される。
【０００４】
歩行訓練の際、介護者が訓練者を支えながら行うことがあるが、特許文献１に代表される歩行訓練用平行棒では、一対の手摺り棒の間隔が人間の肩幅程度に固定されているため、介護者が一対の手摺り棒の間に入って支えることができず、手摺り棒の外方から手を差し伸べて支えて行っている。
【０００５】
一対の手摺り棒の間隔を変更可能で、一対の手摺り棒の間に介護者が入れる歩行訓練用平行棒が特許文献２に開示されている。特許文献２に開示の歩行訓練用平行棒は、手摺り棒と支柱とを繋ぐ屈曲した接続杆を備えており、接続杆が支柱の軸を支点に回転可能に構成されている。接続杆の回転に伴い、一対の手摺り棒の間隔を変更することができる。
【先行技術文献】
【特許文献】
【０００６】
【特許文献１】特開２００２−３１５７９４号公報
【特許文献２】特開２００２−３４５９９５号公報
【発明の概要】
【発明が解決しようとする課題】
【０００７】
特許文献２に開示されている歩行訓練用平行棒は、手摺り棒を任意の位置に回転移動させ、接続杆を支柱上部に設けられた上部部材を締めることで固定して使用される。このため、再度手摺り棒を回転させるには、それぞれの各支柱上部に設けられた上部部材を緩めなければならず、一対の手摺り棒の間隔を簡単に変更することができない。
【０００８】
本発明は上記事項に鑑みてなされたものであり、その目的とするところは、簡単に一対の手摺り棒の間隔を変更できる歩行訓練用平行棒を提供することにある。
【課題を解決するための手段】
【０００９】
本発明に係る歩行訓練用平行棒は、
一対の手摺り棒が平行に配置された歩行訓練用平行棒において、
前記手摺り棒を支持する複数の支柱と、
複数の前記支柱にそれぞれ設けられた接続部材と、
前記接続部材と前記手摺り棒とをそれぞれ接続する継ぎ手と、を備え、
前記継ぎ手は前記接続部材に回転可能に接続され、
前記手摺り棒から離間し、且つ、前記手摺り棒に平行でありそれぞれの前記接続部材と前記継ぎ手との接続箇所を結ぶ線を回転軸として前記手摺り棒が回転し前記一対の手摺り棒の間隔が変えられ、
前記手摺り棒の回転を所定位置で止めるストッパー機構を備え、前記ストッパー機構により回転前後で前記手摺り棒が同じ高さに止まる、ことを特徴とする。
【００１２】
また、前記接続部材はストッパー面を有し、前記継ぎ手を前記ストッパー面に当接させて前記手摺り棒の回転を止める前記ストッパー機構を備えていてもよい。
【００１３】
また、前記接続部材は突出したストッパーピンを備え、前記ストッパーピンに前記継ぎ手を当接させて前記手摺り棒の回転を止める前記ストッパー機構を備えていてもよい。
【００１４】
また、前記接続部材は前記継ぎ手と前記接続部材との接続箇所を中心とする円周上に複数のストッパーピン挿入孔を備え、前記継ぎ手は貫通孔を備え、ストッパーピンが前記貫通孔を通じて前記ストッパーピン挿入孔に挿入されることで前記手摺り棒の回転を止める前記ストッパー機構を備えていてもよい。
【発明の効果】
【００１５】
本発明に係る歩行訓練用平行棒では、手摺り棒と離間するとともに手摺り棒に平行な回転軸を中心にして手摺り棒が回転するので、容易に一対の手摺り棒の間隔を変えることができる。
【図面の簡単な説明】
【００１６】
【図１】歩行訓練用平行棒の外観を示す斜視図である。
【図２】歩行訓練用平行棒の分解斜視図である。
【図３】歩行訓練用平行棒の手摺り棒の回転状態を説明する正面図である。
【図４】歩行訓練用平行棒の手摺り棒の回転状態を説明する平面図である。
【図５】一対の手摺り棒の間隔を狭めた状態の歩行訓練用平行棒の平面図である。
【図６】一対の手摺り棒の間隔を狭めた状態の歩行訓練用平行棒の正面図である。
【図７】一対の手摺り棒の間隔を拡げた状態の歩行訓練用平行棒の平面図である。
【図８】一対の手摺り棒の間隔を拡げた状態の歩行訓練用平行棒の正面図である。
【図９】他の形態に係る歩行訓練用平行棒の部分正面図である。
【図１０】他の形態に係る歩行訓練用平行棒の分解斜視図である。
【図１１】他の形態に係る歩行訓練用平行棒の分解斜視図である。
【図１２】他の形態に係る歩行訓練用平行棒の部分斜視図である。
【図１３】他の形態に係る歩行訓練用平行棒の正面図である。
【図１４】他の形態に係る歩行訓練用平行棒の正面図である。
【図１５】他の形態に係る歩行訓練用平行棒の正面図である。
【発明を実施するための形態】
【００１７】
図を参照して、本実施の形態に係る歩行訓練用平行棒について説明する。図１に示すように、歩行訓練用平行棒１は、所定間隔をおいて配置された一対のベース６０ａ、６０ｂと、ベース６０ａ、６０ｂ上に所定間隔をおいてそれぞれ立設された一対の支柱４０ａ〜４０ｄと、支柱４０ａ〜４０ｄの上部に設けられた接続部材３０ａ〜３０ｄと、一対の手摺り棒１０ａ、１０ｂと、接続部材３０ａ〜３０ｄと手摺り棒１０ａ、１０ｂとを接続する継ぎ手２０ａ〜２０ｄとから構成される。
【００１８】
一対のベース６０ａ、６０ｂは、立設された支柱４０ａ〜４０ｄや手摺り棒１０ａ、１０ｂ等の部材を支持する土台である。一対のベース６０ａ、６０ｂは、それぞれ略直方形の板状部材から構成され、手摺り棒１０ａ、１０ｂの長手方向に対向して配置されている。
【００１９】
ベース６０ａ、６０ｂの手摺り棒１０ａ、１０ｂの長手方向における両端は、歩行訓練者が足を引っかけることがないように、また、車椅子を通過させる際に車輪が引っかからないように、テーパー状に形成されている。
【００２０】
ベース６０ａ、６０ｂには、支柱４０ａ〜４０ｄ下部が挿入される円錐台状の固定部５０ａ〜５０ｄが設けられている。固定部５０ａ〜５０ｄには支柱受け口が設けられており、この支柱受け口に支柱４０ａ〜４０ｄ下部が挿入され、支柱４０ａ〜４０ｄが倒れないように固定される。
【００２１】
支柱４０ａ、４０ｃは、ベース６０ａ上に立設され、また、他の支柱４０ｂ、４０ｄは、ベース６０ｂ上に立設されている。支柱４０ａ、４０ｃの間隔と支柱４０ｂ、４０ｄの間隔は同幅に設定されている。
【００２２】
それぞれの支柱４０ａ〜４０ｄの上部には、継ぎ手２０ａ〜２０ｄと支柱４０ａ〜４０ｄとを接続する接続部材３０ａ〜３０ｂが設けられている。
【００２３】
継ぎ手２０ａ〜２０ｄは棒状の部材であり、継ぎ手２０ａ〜２０ｄの一端は、接続部材３０ａ〜３０ｄに接続している。また、継ぎ手２０ａ〜２０ｄの他端は、手摺り棒１０ａ、１０ｂに接続している。
【００２４】
手摺り棒１０ａ、１０ｂは断面が円形状の棒体であり、歩行訓練者が歩行訓練中、手で掴むものである。一対の手摺り棒１０ａ、１０ｂは、同一平面上に所定間隔をもって平行に配置されている。
【００２５】
続いて、継ぎ手２０ａ〜２０ｄと接続部材３０ａ〜３０ｄ及び手摺り棒１０ａ、１０ｂとの接続について説明する。
【００２６】
図２の分解斜視図に示すように、接続部材３０ａは、円柱体の一部が切り欠かれた形状であり、円形の接続孔３１ａが設けられている。また、接続部材３０ａは円柱体の一部が切り欠かれて形成されていることにより、ストッパー面３２ａ、３３ａを備えている。
【００２７】
継ぎ手２０ａには、接続部材３０ａの接続孔３１ａに相応する円柱状の凸部２１ａが設けられている。この凸部２１ａが接続部材３０ａの接続孔３１ａに挿入されることで、継ぎ手２０ａと接続部材３０ａとが接続される。このような構成により、継ぎ手２０ａは接続部材３０ａに対して回転可能である。
【００２８】
手摺り棒１０ａの一端には、継ぎ手２０ａの端部の形状に相応する凹部１１ａが形成されており、この凹部１１ａに継ぎ手２０ａの端部が挿入されることで、手摺り棒１０ａと継ぎ手２０ａとが接続される。手摺り棒１０ａの他端も同様である。
【００２９】
なお、手摺り棒１０ｂ、継ぎ手２０ｂ〜２０ｄ、及び、接続部材３０ｂ〜３０ｄも上記と同様の構造である。
【００３０】
上記のように継ぎ手２０ａ、２０ｂは回転可能に接続部材３０ａ、３０ｂに接続されているので、図３及び図４に示すように、手摺り棒１０ａは、接続部材３０ａと接続部材３０ｂとを結ぶ線（継ぎ手２０ａと接続部材３０ａとの接続箇所と継ぎ手２０ｂと接続部材３０ｂとの接続箇所とを結ぶ線）を回転軸Ａ１として回転する。
【００３１】
そして、継ぎ手２０ａが接続部材３０ａのストッパー面３２ａ（或いはストッパー面３３ａ）に当接するまで手摺り棒１０ａが回転した後は、それ以上手摺り棒１０ａが回転することのない構造である。
【００３２】
図５及び図６に、一対の手摺り棒１０ａ、１０ｂの間隔を狭めた状態を示す。手摺り棒１０ａ、１０ｂの間隔を狭めた状態では、手摺り棒１０ａ、１０ｂの間隔Ｗ１は歩行訓練者が単身で歩行訓練をしやすい間隔、即ち、訓練者が両腕で手摺り棒１０ａ、１０ｂを掴み、歩行を行いやすい間隔に設定されていることが好ましい。具体的には、歩行訓練者は自己の体重を支えるため、両腕を下方に伸ばして手摺り棒１０ａ、１０ｂを掴み略鉛直下方向に力を掛けるので、手摺り棒１０ａ、１０ｂの間隔は、人の肩幅程度、凡そ５５ｃｍ程度に設定される。
【００３３】
図７及び図８に、一対の手摺り棒１０ａ、１０ｂの間隔を拡げた状態を示す。図５及び図６に示す状態から、回転軸Ａ１を支点に手摺り棒１０ａを回転させ、また、回転軸Ａ２を支点に手摺り棒１０ｂを回転させることにより、一対の手摺り棒１０ａ、１０ｂの間隔Ｗ１を一対の手摺り棒１０ａ、１０ｂの間隔Ｗ２に変えることができる。
【００３４】
一対の手摺り棒１０ａ、１０ｂの間隔Ｗ２は、その間に人が二人入れる程度に設定されることが好ましい。これにより、訓練者とともに訓練者を補助する介護者も同時に一対の手摺り棒１０ａ、１０ｂの中に入ることができるので、介護者が容易に訓練者を補助することができ、円滑な歩行訓練ができる。
【００３５】
訓練者は歩行訓練中、手で手摺り棒１０ａ、１０ｂを掴み、鉛直下方向に荷重を掛けるが、継ぎ手２０ａ〜２０ｄは上記のストッパー機構により固定されて手摺り棒１０ａ、１０ｂはそれ以上回転しない。また、上述したように手摺り１０ａ、１０ｂの両端に継ぎ手が組み込まれているので、訓練者が手摺り棒１０ａ、１０ｂを掴み、手摺り棒１０ａ、１０ｂを捻っても、手摺り棒１０ａ、１０ｂが自転することがない。このように手摺り棒１０ａ、１０ｂは使用時に回転しないので、訓練者は安心して自己の体重を手摺り棒１０ａ、１０ｂに掛けることができ、円滑な歩行訓練を行える。
【００３６】
以上のように、歩行訓練用平行棒１では、手摺り棒１０ａ、１０ｂが、手摺り棒１０ａ、１０ｂから離間し、且つ、手摺り棒１０ａ、１０ｂに平行な回転軸Ａ１、Ａ２を支点にして回転し、容易に手摺り棒１０ａ、１０ｂの間隔を変えることができる。したがって、単身で歩行訓練が行える者、介護者を要する歩行訓練者に応じて容易に手摺り棒１０ａ、１０ｂの間隔を変えて用いることができる。
【００３７】
また、支柱４０ａ、４０ｃ及び支柱４０ｂ、４０ｄの間隔Ｗ３、固定具５０ａ、５０ｃ及び固定具５０ｂ、５０ｄの間隔Ｗ４は車椅子が手摺り棒１０ａ、１０ｂの間を通過できるように設定されることが好ましい。歩行訓練中に訓練者が手摺り棒１０ａ、１０ｂの間で突如動けなくなった際にも、訓練者のところまで車椅子を運ぶことができ、迅速に訓練者を保護することができる。更に、支柱４０ａ、４０ｃ及び支柱４０ｂ、４０ｄの間隔Ｗ３、固定具５０ａ、５０ｃ及び固定具５０ｂ、５０ｄの間隔Ｗ４が広いことにより、足にギプスを装着した訓練者が支柱に足を引っかけることなく、スムーズな歩行訓練を行える。
【００３８】
また、歩行訓練用平行棒１の使用時における手摺り棒１０ａ、１０ｂの回転を防止する機構が設けられていてもよい。例えば、図９に示すように、接続部材３０ａに固定ピン挿入孔３４ａを設け、この固定ピン挿入孔３４ａに固定ピン（不図示）が接続部材３０ａから突出するように挿入されることで、継ぎ手２０ａ〜２０ｄが回転しないよう固定される。これにより、使用中における手摺り棒１０ａ、１０ｂの回転を完全に防止できる。
【００３９】
ストッパー機構は、手摺り棒１０ａ、１０ｂの回転を止めて固定できる機構であれば、上述した形態に限定されない。例えば、図１０に示すように、ストッパーピン３５ａ、３６ａが設けられている接続部材３０ａを用いてもよい。ストッパーピン３５ａ、３６ａは継ぎ手２０ａが配置される側に突出して設けられており、このストッパーピン３５ａ、３６ａに継ぎ手２０ａを当接させる。これにより、手摺り棒１０ａの回転が止められ、手摺り棒１０ａはその位置で固定される。
【００４０】
また、図１１に示すように、手摺り棒１０ａの回転を任意の角度で止めて固定する形態であってもよい。接続部材３０ａには、接続孔３１ａを中心とする円周上に複数のストッパーピン挿入孔３７ａが設けられている。一方、継ぎ手２０ａには、ストッパーピン挿入孔３７ａとほぼ同じ径の貫通孔２２ａが設けられている。ストッパーピン３８ａが継ぎ手２０ａの貫通孔２２ａを通じて、任意のストッパーピン挿入孔３７ａに挿入されることにより、継ぎ手２０ａの回転が止められ固定される。これにより、手摺り棒１０ａの回転を任意の角度で止めて固定することができる。
【００４１】
上記では、手摺り棒１０ａ、１０ｂの双方が回転可能な形態について説明したが、手摺り棒１０ａ、１０ｂのいずれか一方のみが回転可能な形態であってもよい。
【００４２】
また、上記では、手摺り棒１０ａ、１０ｂの両端に継ぎ手２０ａ〜２０ｂが接続されている例について説明したが、図１２に示すように、手摺り棒１０ａ、１０ｂの両端部から中央に寄った位置に、継ぎ手２０ａ〜２０ｄが接続されていてもよい。
【００４３】
また、手摺り棒１０ａ、１０ｂと継ぎ手２０ａ〜２０ｄとの接続について、手摺り棒１０ａ、１０ｂに形成された凹部に継ぎ手２０ａ〜２０ｄの端部が組み込まれた例について説明したが、手摺り棒１０ａ、１０ｂと継ぎ手２０ａ〜２０ｄとの接続は上記に限定されず、例えば溶接やボルト等の締結具による接続であってもよい。また、手摺り棒１０ａ、１０ｂから継ぎ手２０ａ〜２０ｄを突出させて、一体的に形成された形態であってもよい。
【００４４】
接続部材３０ａ〜３０ｄは、図１３に示すように、支柱４０ａ〜４０ｄの中間部等、支柱４０ａ〜４０ｄの任意の位置に設けられていてもよい。接続部材３０ａ〜３０ｄが同じ高さに設けられていれば、接続部材３０ａ、３０ｂを結ぶ線を回転軸Ａ１として手摺り棒１０ａが回転し、同様に、接続部材３０ｃ、３０ｄを結ぶ線を回転軸Ａ２として手摺り棒１０ｂが回転するので、容易に一対の手摺り棒１０ａ、１０ｂの間隔を変更することができる。
【００４５】
接続部材３０ａ〜３０ｄは、図１３に示すように、支柱４０ａ〜４０ｄの外側（手摺り棒１０ａ、１０ｂの長手方向における端部側）に設けられていても、支柱４０ａ〜４０ｄの内側（手摺り棒１０ａ、１０ｂの長手方向における中央側）に設けられていてもよい。
【００４６】
接続部材３０ａ〜３０ｄと継ぎ手２０ａ〜２０ｄとの接続について、上述した形態に限定されず、継ぎ手２０ａ〜２０ｄが回転可能に接続され得るものであればよい。例えば、継ぎ手２０ａ〜２０ｄに円形の孔が設けられ、一方の接続部材３０ａ〜３０ｄに対応する円柱状の凸部が設けられ、凸部が孔に回転可能に挿入された形態でもよい。また、継ぎ手２０ａ〜２０ｄと接続部材３０ａ〜３０ｄ双方に円形の孔が設けられ、ボルトとナット等の締結具によって、継ぎ手２０ａ〜２０ｄが回転可能に接続された形態であってもよい。
【００４７】
また、支柱４０ａ〜４０ｄの長さが調節不可能な形態について説明したが、支柱４０ａ〜４０ｄをそれぞれ上部支柱と下部支柱とから構成し、支柱４０ａ〜４０ｄが任意の長さに調節可能な形態であってもよい。
【００４８】
また、一対のベース６０ａ、６０ｂに支柱４０ａ〜４０ｄが立設された形態について説明したが、単一のベースに支柱４０ａ〜４０ｄが立設された形態であってもよい。
【００４９】
手摺り棒１０ａ（手摺り棒１０ｂ）を、２本の支柱４１ａ、４１ｂ（支柱４１ｃ、４１ｄ）で支持した形態について説明したが、一本の手摺り棒１０ａ（手摺り棒１０ｂ）を３本以上の支柱で支持した形態であってもよい。
【００５０】
上記では、支柱４０ａ〜４０ｄに接続部材３０ａ〜３０ｄを設け、継ぎ手２０ａ〜２０ｄが回転可能に接続部材３０ａ〜３０ｄに接続された形態について説明したが、支柱４０ａ〜４０ｄが屈曲可能な形態であってもよい。
【００５１】
例えば、図１４に示す歩行訓練用平行棒１のように、支柱４０ａ〜４０ｄがそれぞれ上部支柱４１ａ〜４１ｄと下部支柱４２ａ〜４２ｄとから構成され、上部支柱４１ａ〜４１ｄと下部支柱４２ａ〜４２ｄとがヒンジ機構により接続された形態であってもよい。上部支柱４１ａ〜４１ｄに手摺り棒１０ａ、１０ｂを設けることで、ヒンジ機構を支点にして上部支柱４１ａ〜４１ｄが折れ曲がるので、上部支柱４１ａ〜４１ｄの屈曲により手摺り棒１０ａ、１０ｂがヒンジ機構を支点にして回転する。これにより、一対の手摺り棒１０ａ、１０ｂの間隔を変えることができる。
【００５２】
また、図１５に示すように、支柱４０ａ〜４０ｄがベース６０ａ、６０ｂに配置された固定具５０ａ〜５０ｄに回転可能に取り付けられていてもよい。支柱４０ａ〜４０ｄが固定具５０ａ〜５０ｄとの接続箇所を支点にして回転するので、手摺り棒１０ａ、１０ｂもそれぞれ回転することになり、容易に一対の手摺り棒１０ａ、１０ｂの間隔を変えることができる。
【符号の説明】
【００５３】
１  歩行訓練用平行棒
１０ａ、１０ｂ  手摺り棒
１１ａ  凹部
２０ａ〜２０ｄ  継ぎ手
２１ａ  凸部
２２ａ  貫通孔
３０ａ〜３０ｄ  接続部材
３１ａ  接続孔
３２ａ  ストッパー面
３３ａ  ストッパー面
３４ａ  固定ピン挿入孔
３５ａ  ストッパーピン
３６ａ  ストッパーピン
３７ａ  ストッパーピン挿入孔
３８ａ  ストッパーピン
４０ａ〜４０ｄ  支柱
４１ａ〜４１ｄ  上部支柱
４２ａ〜４２ｄ  下部支柱
５０ａ〜５０ｄ  支柱固定具
６０ａ、６０ｂ  ベース
Ａ１、Ａ２  回転軸
Ｗ１、Ｗ２  一対の手摺り棒の間隔
Ｗ３  支柱の間隔
Ｗ４  固定具の間隔
【図１】
0005409341.tif 000002
【図２】
0005409341.tif 000003
【図３】
0005409341.tif 000004
【図４】
0005409341.tif 000005
【図５】
0005409341.tif 000006
【図６】
0005409341.tif 000007
【図７】
0005409341.tif 000008
【図８】
0005409341.tif 000009
【図９】
0005409341.tif 000010
【図１０】
0005409341.tif 000011
【図１１】
0005409341.tif 000012
【図１２】
0005409341.tif 000013
【図１３】
0005409341.tif 000014
【図１４】
0005409341.tif 000015
【図１５】
0005409341.tif 000016